(57)【要約】【課題】  ユーザが表示させたくない放送番組を表示させず、且つ蓄積されたコンテンツデータを効率的に再生することができる放送受信記録再生装置を提供する。【解決手段】  受信した放送信号から第１再生信号を生成する第１映像音声信号処理手段１５と、ユーザの嗜好を基に設定された置換データ指定情報に基づいて放送番組が蓄積されたコンテンツに置換されるときは、置換するコンテンツデータから第２再生信号を生成する第２映像音声信号処理手段１９と、第２再生信号が生成されたときは第２再生信号を選択し第２再生信号が生成されていないときは第１再生信号を出力する信号切替手段１６とを有する。【選択図】  図１
2008098772.tif 000002
【特許請求の範囲】
【請求項１】
放送局から受信した放送信号と、予め記録した蓄積コンテンツの再生信号とを、ユーザの嗜好に応じて切り替えて出力する放送受信記録再生装置において、
前記蓄積コンテンツのコンテンツデータを記録するデータ蓄積手段と、
前記受信した放送信号を取得して、この放送信号を再生するための第１再生信号を生成する第１映像音声信号処理手段と、
ユーザの嗜好を基に設定された置換対象の放送番組を特定する情報と、この情報によりユーザの嗜好を基に特定された放送番組と置換する蓄積コンテンツとを対応付けて置換データ指定情報として記憶し、前記第１映像音声信号処理手段で放送信号を取得したときはこの取得した放送信号の放送番組と一致する情報を含む前記置換データ指定情報があるか否かを判断する置換データ指定手段と、
前記置換データ指定手段において、前記取得した放送信号の放送番組と一致する情報を含む前記置換データ指定情報があると判断されたときには、前記置換データ指定情報に含まれる前記蓄積コンテンツのコンテンツデータを前記データ蓄積手段を検索して読み出すデータ検索手段と、
前記データ検索手段で読み出された前記コンテンツデータを再生するための第２再生信号を生成する第２映像音声信号処理手段と、
前記第２映像音声信号処理手段で前記第２再生信号が生成されたときには、前記第２再生信号を選択し、前記第２再生信号が生成されていないときは前記第１再生信号を選択し再生するために出力する信号切替手段と、
を備えることを特徴とする放送受信記録再生装置。
【請求項２】
前記データ検索手段において前回読み出しを停止した位置を、次回の再生開始位置情報として前記データ蓄積手段に記録された蓄積コンテンツごとに記憶する再生位置管理手段を有し、
前記データ検索手段において前記蓄積コンテンツのコンテンツデータを読み出すときは、前記再生位置管理手段から前記蓄積コンテンツの再生位置情報を取得し、この再生位置情報に記録された位置から前記蓄積コンテンツのコンテンツデータの読み出しを開始する
ことを特徴とする請求項１に記載の放送受信記録再生装置。
【請求項３】
前記再生位置管理手段において、前記データ検索手段における前回の読み出し時間が予め設定された閾値以下のときは、前記再生開始位置情報を更新しない
ことを特徴とする請求項１または２に記載の放送受信記録再生装置。
【請求項４】
前記受信した放送信号に付加されている番組情報を取得して解析する番組情報解析手段と、
前記置換データ指定手段に記憶されている置換データ指定情報を、前記番組情報解析手段で取得した番組情報を更新することにより編集する番組情報編集手段と
を有し、
前記番組情報解析手段は、取得した番組情報と置換データ指定手段に記憶されている置換データ指定情報とを、該当する時間枠に表示させるように番組一覧表情報を生成して再生させるために出力する
ことを特徴とする請求項１〜３いずれか１項に記載の放送受信記録再生装置。
【請求項５】
前記番組情報解析手段は、前記置換データ指定情報に該当する時間枠の前記番組情報を、前記置換データ指定情報に含まれる蓄積コンテンツのタイトル、ジャンル、録画日時、サムネイル画像、または代表動画像の少なくとも１つを含む情報で置換するかまたはこれらの情報を追加して番組一覧表情報を生成する
ことを特徴とする請求項４に記載の放送受信記録再生装置。
【請求項６】
前記番組情報解析手段は、生成した前記番組一覧表情報の時間枠が選択されたときは、前記番組一覧表情報において前記選択された時間枠に該当する放送番組または蓄積コンテンツを再生するための再生要求を生成する
ことを特徴とする請求項４または５に記載の放送受信記録再生装置。
【請求項７】
ユーザによる操作履歴を取得して、放送番組および蓄積コンテンツに対するユーザの嗜好に基づく優先度を判断するための嗜好優先度情報を生成するユーザ嗜好性設定手段を有し、
前記置換データ指定手段において、前記番組情報解析手段で取得した番組情報の中から前記嗜好優先度情報に基づいて前記置換対象の放送番組が選択され、前記データ蓄積手段に記録されている蓄積コンテンツの中から前記嗜好優先度情報に基づいて前記置換対象の放送番組と置換する蓄積コンテンツが選択され、前記置換対象の放送番組として選択された放送番組を、前記置換対象の放送番組と置換する蓄積コンテンツとして選択された蓄積コンテンツで置換するための置換データ指定情報を生成する
ことを特徴とする請求項１〜６いずれか１項に記載の放送受信記録再生装置。
【発明の詳細な説明】
【技術分野】
【０００１】
本発明は、放送局からの放送信号を受信して再生する放送受信記録再生装置に関する。
【背景技術】
【０００２】
一般的に、テレビジョン放送を視聴する際に、ユーザはチャンネルを切り替えることにより視聴したい番組を探すことがよく行われる。
【０００３】
しかし近年はテレビジョン放送のチャンネル数が多くなってきているため、視聴したい番組を探すときにチャンネルを切り替える頻度が多くなり、「目にしたくない」、「子供に見せたくない」、または「興味がない」といった番組を目にしてしまうことがある。
【０００４】
これらの目にしたくない」、「子供に見せたくない」、または「興味がない」等の番組を表示させないようにするため、選局できるチャンネルを限定して表示させたくないチャンネルをスキップさせたり、番組を選択するために画面に表示させる番組表から、表示させたくないチャンネルを削除したりする方法がある。
【０００５】
しかし、これらの方法は、特定のジャンルの番組を放送する専門チャンネルを選択または除外するためには適するが、多様な番組が放送されている総合チャンネルでは表示させたくない番組と視聴したい番組が混在することがあるため利用に適さないという問題があった。
【０００６】
一方、テレビジョン放送番組などの映像コンテンツを記録および再生する記録再生装置として、ハードディスク、光ディスク、または半導体メモリなどの大容量記録媒体を用いたハードディスクレコーダ（ＨＤＤレコーダ）やＤＶＤレコーダなどの記録再生装置が広く普及している。
【０００７】
これらのハードディスク、光ディスク、または半導体メモリなどの記録媒体を用いた記録再生装置は、ユーザの嗜好に応じて録画される自動録画機能などにより、多くのコンテンツが録画されることがある。
【０００８】
それゆえに記録されたコンテンツが視聴されないまま放置されたり、視聴されないうちに容量オーバーなどにより削除されてしまったりするケースがある。
【０００９】
記録媒体に記録されたコンテンツを容易に再生させる技術として、特許文献１および特許文献２に記載のものがある。
【００１０】
特許文献１には、記録媒体を装着するだけで自動的に、記録媒体に記録されたコンテンツを再生するデジタルテレビジョン受信装置が記載されている。
【００１１】
この技術により、煩雑な操作をすることなしに、容易に記録媒体に記録されたコンテンツデータを再生させることができる。
【００１２】
また、特許文献２には、テレビ受信機における放送番組の受信中にＣＭ区間を検出し、検出されたＣＭ区間は、写真画像またはビデオカメラで撮影した映像などのコンテンツを再生する電子アルバム装置に切り替えてこれらのコンテンツを出力させる再生装置が記載されている。
【００１３】
この再生装置を利用することにより、放送番組のＣＭ区間を利用して電子アルバムの利用を活発にする機能をユーザに提供することができる。
【特許文献１】特開２００２−３５４３８９号公報
【特許文献２】特開２０００−３５０１３１号公報
【発明の開示】
【発明が解決しようとする課題】
【００１４】
しかし、特許文献１の技術は、ユーザが利用の都度記録媒体の装着、取外しを行わなくてはならず、一度に大量のコンテンツデータを視聴する場合には有効な方法であるが、短い時間を利用して度々記録媒体のコンテンツを視聴したいような場合にはかえって操作が煩雑になり効率を下げることになるという問題があった。
【００１５】
また、特許文献２の技術は、ＣＭ区間という短い区間を利用したものであるため、蓄積された多くのデータを視聴することは困難であるという問題があった。
【００１６】
よって、本発明の目的は、ユーザが表示させたくない番組表示させることなく、蓄積されたコンテンツデータを効率的に再生することができる放送受信記録再生装置を提供することである。
【課題を解決するための手段】
【００１７】
上記目的を達成するために、本発明の放送受信記録再生装置（１）は、放送局から受信した放送信号と、予め記録した蓄積コンテンツの再生信号とを、ユーザの嗜好に応じて切り替えて出力するものであり、前記蓄積コンテンツのコンテンツデータを記録するデータ蓄積手段（１８）と、前記受信した放送信号を取得して、この放送信号を再生するための第１再生信号を生成する第１映像音声信号処理手段（１５）と、ユーザの嗜好を基に設定された置換対象の放送番組を特定する情報と、この情報によりユーザの嗜好を基に特定された放送番組と置換する蓄積コンテンツとを対応付けて置換データ指定情報として記憶し、前記第１映像音声信号処理手段（１５）で放送信号を取得したときはこの取得した放送信号の放送番組と一致する情報を含む前記置換データ指定情報があるか否かを判断する置換データ指定手段（１２２）と、前記置換データ指定手段（１２２）において、前記取得した放送信号の放送番組と一致する情報を含む前記置換データ指定情報があると判断されたときには、前記置換データ指定情報に含まれる前記蓄積コンテンツのコンテンツデータを前記データ蓄積手段（１８）を検索して読み出すデータ検索手段（１２３）と、前記データ検索手段（１２３）で読み出された前記コンテンツデータを再生するための第２再生信号を生成する第２映像音声信号処理手段（１９）と、前記第２映像音声信号処理手段（１９）で前記第２再生信号が生成されたときには、前記第２再生信号を選択し、前記第２再生信号が生成されていないときは前記第１再生信号を選択し再生するために出力する信号切替手段（１６）とを備えることを特徴とする。
【００１８】
また、前記データ検索手段（１２３）において前回読み出しを停止した位置を、次回の再生開始位置情報として前記データ蓄積手段（１８）に記録された蓄積コンテンツごとに記憶する再生位置管理手段（１２４）を有し、前記データ検索手段（１２３）において前記蓄積コンテンツのコンテンツデータを読み出すときは、前記再生位置管理手段（１２４）から前記蓄積コンテンツの再生位置情報を取得し、この再生位置情報に記録された位置から前記蓄積コンテンツのコンテンツデータの読み出しを開始するようにしても良い。
【００１９】
また、前記再生位置管理手段（１２４）において、前記データ検索手段（１２３）における前回の読み出し時間が予め設定された閾値以下のときは、前記再生開始位置情報を更新しないようにしても良い。
【００２０】
また、前記受信した放送信号に付加されている番組情報を取得して解析する番組情報解析手段（１２５）と、前記置換データ指定手段（１２２）に記憶されている置換データ指定情報を、前記番組情報解析手段（１２５）で取得した番組情報を更新することにより編集する番組情報編集手段（１２６）とを有し、前記番組情報解析手段（１２５）は、取得した番組情報と置換データ指定手段（１２２）に記憶されている置換データ指定情報とを、該当する時間枠に表示させるように番組一覧表情報を生成して再生させるために出力するようにしても良い。
【００２１】
また、前記番組情報解析手段（１２５）は、前記置換データ指定情報に該当する時間枠の前記番組情報を、前記置換データ指定情報に含まれる蓄積コンテンツのタイトル、ジャンル、録画日時、サムネイル画像、または代表動画像の少なくとも１つを含む情報で置換するかまたはこれらの情報を追加して番組一覧表情報を生成するようにしても良い。
【００２２】
また、前記番組情報解析手段（１２５）は、生成した前記番組一覧表情報の時間枠が選択されたときは、前記番組一覧表情報において前記選択された時間枠に該当する放送番組または蓄積コンテンツを再生するための再生要求を生成するようにしても良い。
【００２３】
また、ユーザによる操作履歴を取得して、放送番組および蓄積コンテンツに対するユーザの嗜好に基づく優先度を判断するための嗜好優先度情報を生成するユーザ嗜好性設定手段（１２９）を有し、前記置換データ指定手段（１２２）において、前記番組情報解析手段（１２５）で取得した番組情報の中から前記嗜好優先度情報に基づいて前記置換対象の放送番組が選択され、前記データ蓄積手段（１８）に記録されている蓄積コンテンツの中から前記嗜好優先度情報に基づいて前記置換対象の放送番組と置換する蓄積コンテンツが選択され、前記置換対象の放送番組として選択された放送番組を、前記置換対象の放送番組と置換する蓄積コンテンツとして選択された蓄積コンテンツで置換するための置換データ指定情報を生成するようにしても良い。
【発明の効果】
【００２４】
本発明の放送受信記録再生装置によれば、ユーザが表示させたくない番組表示させることなく、蓄積されたコンテンツデータを効率的に再生することができる。
【発明を実施するための最良の形態】
【００２５】
《第１実施形態》
本発明の第１実施形態では、ユーザが表示させたくない放送番組を、蓄積されたコンテンツに置換して出力する放送受信記録再生装置について説明する。
【００２６】
〈第１実施形態による放送受信記録再生装置１の構成〉
本発明の第１実施形態による放送受信記録再生装置１の構成を、図１を参照して説明する。
【００２７】
本実施形態による放送受信記録再生装置１は、ユーザ制御手段１１と、制御手段１２と、放送受信部としてのアンテナ１３と、第１放送選局手段１４と、第１映像音声信号処理手段１５と、信号切替手段１６と、出力手段１７と、データ蓄積手段１８と、第２映像音声信号処理手段１９と、表示手段２０とを有する。
【００２８】
ユーザ制御手段１１は、ユーザによってリモコンなどから操作され、ユーザにより主視聴チャンネルを切り替える操作が行われると主視聴チャンネル切替要求を生成して後述するチャンネル制御手段１２１に送出する。
【００２９】
制御手段１２は、チャンネル制御手段１２１と、置換データ指定手段１２２と、データ検索手段１２３と、再生位置管理手段１２４とを有する。
【００３０】
チャンネル制御手段１２１は、ユーザ制御手段１１からユーザの所望のチャンネルへ切り替えるための視聴チャンネル切替要求を取得したときに、第１放送選局手段１４に送出する。
【００３１】
置換データ指定手段１２２は、予めユーザにより設定された、特定時間枠やその時間枠で選局されるチャンネルなどの放送番組の時間枠を指定する条件と、この指定した時間枠やチャンネルの放送番組と置換する、後述するデータ蓄積手段１８内のコンテンツデータとを、対応付けて置換データ指定情報として記憶する。
【００３２】
また、置換データ指定手段１２２は、後述する信号切替手段１６から放送番組に関する情報を取得したときに、この情報に一致する置換データ指定情報があるか否かを判断し、一致する置換データ指定情報があればこの置換データ指定情報に該当するコンテンツデータに出力を切り替えるための信号切替要求を生成して信号切替手段１６に送出する。
【００３３】
また、置換データ指定手段１２２は、信号切替手段１６から取得した放送番組に関する情報に一致する置換データ指定情報があるときは、この一致する置換データ指定情報に該当するコンテンツデータをデータ蓄積手段１８から取得するためのコンテンツデータ取得要求を生成して、後述するデータ検索手段１２３に送出する。
【００３４】
データ検索手段１２３は、置換データ指定手段１２２からコンテンツデータ取得要求を取得すると、データ蓄積手段１８から該当するコンテンツデータを検索して読み出す。
【００３５】
再生位置管理手段１２４は、放送番組と置換するコンテンツデータの次回の再生開始位置情報を記憶する。
【００３６】
アンテナ１３は、放送局から送信される放送電波を受信する。
【００３７】
第１放送選局手段１４は、チューナーであり、チャンネル制御手段１２１から取得したチャンネル切替要求に従って、アンテナ１３において受信された放送電波からユーザが視聴する視聴チャンネルを選局する。
【００３８】
第１映像音声信号処理手段１５は、第１放送選局手段１４で選局された主視聴チャンネルの圧縮された放送信号を放送電波から取得し、再生するために伸張して第１再生信号を生成する処理を行う。
【００３９】
信号切替手段１６は、第１映像音声信号処理手段１５で生成された第１再生信号と、後述する第２映像音声信号処理手段１９で生成された第２再生信号と、後述する番組情報表示処理手段２１で生成された番組情報表示信号とのうち、表示装置に出力する信号を選択して切り替える。
【００４０】
出力手段１７は、信号切替手段１６で選択された第１再生信号、第２再生信号、または番組情報表示信号を、外部の表示手段で表示させる表示信号に変換する。
【００４１】
データ蓄積手段１８は、テレビジョン放送の放送番組と置換するためのコンテンツデータを記録するものであり、ハードディスク、光ディスク、メモリカード、半導体メモリなどを用いることができる。記録するコンテンツデータは、受信した放送放送番組のコンテンツデータまたは外部から受信したコンテンツデータなどがある。
【００４２】
第２映像音声信号処理手段１９は、データ蓄積手段１８に記録されているコンテンツデータをデータ検索手段１２３を経由して取得し、再生するための第２再生信号を生成する処理を行う。
【００４３】
表示手段２０は、制御手段１２で行われている処理の動作状態を表示する。
【００４４】
〈第１実施形態による放送受信記録再生装置１の動作〉
本実施形態による放送受信記録再生装置１の動作について、図２のフローチャートおよび図３の説明図を参照して説明する。
【００４５】
まず、ユーザによるユーザ制御手段１１の操作により電源が投入され（Ｓ１）、さらにユーザの所望のチャンネルに切り替えるための視聴チャンネル切替要求が送出されると、チャンネル制御手段１２１を介して第１放送選局手段１４に送出される。
【００４６】
第１放送選局手段１４では、チャンネル制御手段１２１から取得したチャンネル切替要求に基づいてアンテナ１３で受信された放送電波からチャンネルが選局される。
【００４７】
本実施形態においては、図３に示すようにユーザ選局として時刻t0にチャンネル「CH0」が選局されるものとする。
【００４８】
チャンネル「CH0」では、時刻t0〜t13の間に、番組「Ａ」→番組「Ｂ」→番組「Ｃ」→番組「Ｄ」→ジャンル「１」の番組→番組「Ｅ」の順に放送されている。
【００４９】
また、裏チャンネルのチャンネル「CH1」では、時刻t0〜t13の間に、番組「F」→番組「Ｇ」→番組「Ｈ」→番組「Ｉ」→番組「Ｊ」→ジャンル「２」の番組→番組「Ｋ」の順に放送されている。
【００５０】
第１放送選局手段１４においてチャンネル「CH0」が選局されると、第１映像音声信号処理手段１５において、第１放送選局手段１４で選局されたチャンネルの番組「Ａ」の圧縮された放送信号が伸張されることにより、第１再生信号が生成される（Ｓ２）。
【００５１】
第１映像音声信号処理手段１５で生成された第１再生信号は、信号切替手段１６に送出される。
【００５２】
信号切替手段１６では、第１再生信号が取得されると置換データ指定手段１２２に送出され、置換データ指定手段１２２に記憶されている置換データ指定情報に一致する情報があるか否かが問い合わせられる（Ｓ３）。
【００５３】
本実施形態における置換データ指定情報としては、図３に示すように、（１）時刻t0〜時刻t1にチャンネル「CH0」で放送される番組「Ａ」に対してデータ蓄積手段１８内のコンテンツ「MV0」が対応付けられた情報、（２）時刻t2〜時刻t4にチャンネル「CH0」で放送される番組「Ｃ」に対してデータ蓄積手段１８内のコンテンツ「MV1」が対応付けられた情報、（３）時刻t2〜時刻t5にチャンネル「CH1」で放送される番組「Ｇ」に対してデータ蓄積手段１８内のコンテンツ「MV2」が対応付けられた情報、（４）時刻t6〜時刻t7にチャンネル「CH1」で放送される番組「Ｉ」に対してデータ蓄積手段１８内のコンテンツ「MV0」が対応付けられた情報、（５）時刻t8〜時刻t10にいずれかのチャンネルで放送されるジャンル「１」の番組に対してデータ蓄積手段１８内のコンテンツ「MV3」が対応付けられた情報、（６）時刻t11〜時刻t12にいずれかのチャンネルで放送されるジャンル「２」の番組に対してデータ蓄積手段１８内のコンテンツ「MV3」が対応付けられた情報が記憶されている。
【００５４】
置換データ指定手段１２２では、取得した第１再生信号に付加されているチャンネルや番組名の情報に一致する置換データ指定情報があるか否かが判断され、一致する置換データ指定情報があれば（Ｓ３の「YES」）、信号切替要求が生成されて信号切替手段１６に送出されるとともに、コンテンツデータ取得要求が生成されてデータ検索手段１２３に送出される（Ｓ４）。
【００５５】
ここでは、取得した第１再生信号の再生開始時刻がt0であり、且つ第１再生信号に付加されている情報はチャンネル「CH0」、番組名「Ａ」であるため、置換データ指定情報（１）に一致すると置換データ指定手段１２２で判断される。
【００５６】
置換データ指定手段１２２で第１再生信号から取得した情報が置換データ指定情報に一致すると判断されると、置換するコンテンツデータから生成される第２再生信号への信号切替要求が生成されて信号切替手段１６に送出されるとともに、置換するコンテンツ「MV0」のコンテンツデータを取得するためのコンテンツデータ取得要求が生成されてデータ検索手段１２３に送出される。
【００５７】
データ検索手段１２３では、コンテンツ「MV0」のコンテンツデータを取得するためのコンテンツデータ取得要求が取得されると、再生位置管理手段１２４からこのコンテンツ「MV0」の再生開始位置情報が取得される（Ｓ５）。
【００５８】
ここでは、コンテンツ「MV0」の最初の再生区間「MV0-1」の先頭位置情報が再生開始位置情報として取得される。
【００５９】
データ検索手段１２３でコンテンツ「MV0」の再生開始位置情報が取得されると、この再生開始位置情報がデータ蓄積手段１８内から検索され、コンテンツ「MV0」のコンテンツデータの読み出される（Ｓ６）。
【００６０】
データ検索手段１２３で読み出されたコンテンツ「MV0」のコンテンツデータは第２映像音声信号処理手段１９に送出され、このコンテンツデータを再生させるための第２再生信号が生成される（Ｓ７）。
【００６１】
第２映像音声信号処理手段１９で生成されたコンテンツ「MV0」の第２再生信号は、信号切替手段１６に送出される。
【００６２】
信号切替手段１６では、ステップＳ４で第２再生信号への信号切替要求を取得しているため第２再生信号が選択され、出力手段１７に送出される。
【００６３】
出力手段１７ではコンテンツ「MV0」の第２再生信号が取得されると表示信号に変換され、外部の表示装置に送信され表示される（Ｓ８）。
【００６４】
表示装置においてコンテンツ「MV0」の再生が開始されると、このコンテンツ「MV0」のコンテンツデータの再生が終了したか否かが信号切替手段１６で監視される（Ｓ９）。
【００６５】
コンテンツ「MV0」のコンテンツデータの再生が終了していないときは（Ｓ９の「NO」）、コンテンツ「MV0」のコンテンツデータの再生中に電源がOFFにされたか監視され、電源がOFFにされていなければ（Ｓ１０の「No」）、ユーザの操作により視聴チャンネル切替要求が取得され新たなチャンネルの番組の第１再生信号が生成されたか否かが信号切替手段１６で判断される（Ｓ１１）。
【００６６】
ステップＳ１１において新たなチャンネルの番組の第１再生信号が生成されていなければ（Ｓ１１の「NO」）、置換対象となった番組「Ａ」の放送が終了したか否かがさらに信号切替手段１６で監視される（Ｓ１２）。
【００６７】
番組「Ａ」の放送が終了していなければステップＳ９に戻り、コンテンツ「MV0」のコンテンツデータの再生が終了したか否かが続けて監視される。
【００６８】
ステップＳ９においてコンテンツデータの再生が終了したときは（Ｓ９の「YES」）、次に続けて再生される置換データ指定情報があるか否かが信号切替手段１６から置換データ指定手段１２２に問い合わせられる（Ｓ１３）。
【００６９】
続けて再生される置換データ指定情報があれば（Ｓ１３の「YES」）、ステップＳ４に戻り、置換データ指定手段１２２において次に再生されるコンテンツデータのコンテンツデータ取得要求が生成される。
【００７０】
ステップＳ１３において続けて再生される置換データ指定情報がないと判断されれば（Ｓ１３の「NO」）、ステップＳ１１に移り、ユーザの操作により視聴チャンネル切替要求が取得され新たなチャンネルの番組の第１再生信号が生成されたか否かが信号切替手段１６で判断される。
【００７１】
ステップＳ１２において置換対象となった番組の放送が終了されたと判断されたとき（Ｓ１２の「YES」）、またはステップＳ１１において新たなチャンネルの番組の第１再生信号が生成されたと判断されたときには（Ｓ１１の「YES」）、信号切替手段１６でコンテンツデータ再生停止要求が生成され、置換データ指定手段１２２に送出される（Ｓ１４）。
【００７２】
置換データ指定手段１２２でコンテンツデータ再生停止要求が取得されると、データ検索手段１２３に送出され、データ蓄積手段１８からのコンテンツデータの読み出しが停止されるとともに、コンテンツデータにおける停止した位置の情報が次回の再生開始位置情報として再生位置管理手段１２４に送出される。
【００７３】
本実施形態においては、時刻t1になり番組「Ａ」の放送が終了すると、コンテンツデータ再生停止要求が生成されることによりコンテンツ「MV0」の再生が停止され、停止された位置である再生区間「MV0-2」の先頭位置情報がコンテンツ「MV0」の次回の再生開始位置情報として再生位置管理手段１２４に送出される。
【００７４】
再生位置管理手段１２４では、記憶しているコンテンツ「MV0」の再生開始位置情報が、取得された再生開始位置情報（再生区間「MV0-2」の先頭位置情報）で更新される（Ｓ１５）。
【００７５】
このとき、再生時間が予め設定された閾値以下のときは、再生開始位置情報は更新されない。
【００７６】
再生開始位置情報が更新されると、ステップＳ２に戻り、チャンネル「CH0」において番組「Ａ」の次に時刻t1に放送が開始される番組「Ｂ」の第１再生信号が生成される。
【００７７】
第１映像音声信号処理手段１５で生成された番組「Ｂ」の第１再生信号は、信号切替手段１６に送出される。
【００７８】
信号切替手段１６では、第１再生信号が取得されると置換データ指定手段１２２に送出され、置換データ指定手段１２２に記憶されている置換データ指定情報に一致する情報があるか否かが問い合わせられる（Ｓ３）。
【００７９】
ここでは、第１再生信号の再生開始時刻がt1であるため、一致する置換データ指定情報はないと判断される（Ｓ３の「NO」）。
【００８０】
置換データ指定手段１２２で第１再生信号から取得した情報に一致する置換データ指定情報がない判断されると、信号切替手段１６において第１再生信号が選択され、出力手段１７に送出される。
【００８１】
出力手段１７では番組「Ｂ」の第１再生信号が取得されると表示信号に変換され、外部の表示装置に送信され表示される（Ｓ１６）。
【００８２】
番組「Ｂ」の再生中に電源がOFFにされたか監視され、電源がOFFにされたか監視され、電源がOFFにされていなければ（Ｓ１７の「NO」）、ユーザの操作により視聴チャンネル切替要求が取得され新たなチャンネルの番組の第１再生信号が生成されたか否かが信号切替手段１６で判断される（Ｓ１８）。
【００８３】
ステップＳ１８において新たなチャンネルの番組の第１再生信号が生成されていなければ（Ｓ１８の「NO」）、ステップＳ２に戻り、引き続きチャンネル「CH0」の番組「Ｂ」の第１再生信号が生成される。
【００８４】
ステップＳ１８においてユーザの操作により視聴チャンネル切替要求がチャンネル制御手段１２１で取得されると、この視聴チャンネル切替要求にしたがって新たなチャンネルが第１放送選局手段１４で選局される（Ｓ１９）。
【００８５】
第１放送選局手段１４で選局されるチャンネルが新たなチャンネルに切り替えられると、ステップＳ２に戻り、切り替えたチャンネルで放送されている番組の放送信号から第１再生信号が生成される。
【００８６】
また、ステップＳ１０またはステップＳ１７で電源がOFFにされた判断されたときは（Ｓ１０の「YES」、Ｓ１７の「YES」）、処理が終了される。
【００８７】
以上の処理が繰り返されることにより、時刻t2になると、チャンネル「CH0」において番組「Ｃ」の放送が開始されるため、置換データ指定情報（２）に一致すると判断され、データ蓄積手段１８内のコンテンツ「MV1」の再生区間「MV1-1」が再生される。
【００８８】
また、時刻t3になると、ユーザの操作により視聴チャンネルがチャンネル「CH1」に切り替えられるため、第１再生信号に付加されている情報はチャンネル「CH1」、番組名「Ｇ」になり、置換データ指定情報（３）に一致すると判断され、データ蓄積手段１８内のコンテンツ「MV2」の再生区間「MV2-1」が再生される。
【００８９】
また、時刻t5になると、番組「Ｇ」の放送が終了し、一致する置換データ指定情報はないと判断され、チャンネル「CH1」の番組「H」が再生される。
【００９０】
また、時刻t6になると、番組「Ｉ」の放送が開始されるため、第１再生信号に付加されている情報はチャンネル「CH1」、番組名「Ｉ」になるため、置換データ指定情報（４）に一致すると判断され、データ蓄積手段１８内のコンテンツ「MV0」の再生区間「MV0-1」の続きである再生区間「MV0-2」が再生される。
【００９１】
また、時刻t7になると、番組「Ｉ」の放送が終了し、一致する置換データ指定情報はないと判断され、チャンネル「CH1」の番組「Ｊ」が再生される。
【００９２】
また、時刻t9になると、ユーザの操作により視聴チャンネルがチャンネル「CH0」に切り替えられ、第１再生信号に付加されている情報はジャンル「１」になり、置換データ指定情報（５）に一致すると判断され、データ蓄積手段１８内のコンテンツ「MV3」の再生区間「MV3-1」が再生される。
【００９３】
また、時刻t10になると、データ指定情報（５）の指定時間t8〜t10が終了するため、データ指定情報（５）に一致しなくなり、チャンネル「CH0」のジャンル「１」の番組が再生される。
【００９４】
また、時刻t11になると、ユーザの操作により視聴チャンネルがチャンネル「CH1」に切り替えられるため、第１再生信号に付加されている情報はジャンル「２」になり、置換データ指定情報（６）に一致すると判断され、データ蓄積手段１８内のコンテンツ「MV3」の再生区間「MV3-1」の続きである再生区間「MV3-2」が再生される。
【００９５】
また、時刻t12になると、ジャンル「２」の放送が終了するため、データ指定情報（６）に一致しなくなり、チャンネル「CH1」の番組「Ｋ」が再生される。
【００９６】
以上の第１実施形態によれば、表示させたくない番組に対して蓄積されたコンテンツデータを対応させて置換データ指定情報として予め設定しておくことにより、表示させたくない番組の放送時刻になると、自動的に対応付けられたコンテンツデータが再生され、目にしたくない」、「子供に見せたくない」、または「興味がない」などの番組を表示させることなく、且つ蓄積されたコンテンツデータを効率的に再生することができる。
【００９７】
《第２実施形態》
本発明の第２実施形態では、ユーザが表示させたくない放送番組を、蓄積されたコンテンツに置換して出力するとともに、この置換した情報を認識することができる番組表示を行う放送受信記録再生装置について説明する。
【００９８】
〈第２実施形態による放送受信記録再生装置２の構成〉
本発明の第２実施形態による放送受信記録再生装置２の構成を、図４を参照して説明する。
【００９９】
本実施形態における放送受信記録再生装置２は、制御手段１２に番組情報解析手段１２５および番組情報編集手段１２６を有するとともに、番組情報表示処理手段２１を有する他は第１実施形態と同様であるため詳細な説明は省略する。
【０１００】
番組情報解析手段１２５は、番組情報を表示させるための番組情報表示要求をユーザ制御手段１１から取得したときは、取得した番組情報から番組一覧表情報を編集し、後述する番組情報表示処理手段２１に送出する。
【０１０１】
番組情報編集手段１２６は、置換データ指定手段１２２に記憶されている置換データ指定情報を、ユーザ制御手段１１から取得した情報により編集する。
【０１０２】
番組情報表示処理手段２１は、番組情報解析手段１２５から取得した番組一覧表情報を、表示させるための番組一覧表情報表示信号に変換して信号切替手段１６に送出する。
【０１０３】
〈第２実施形態による放送受信記録再生装置２の動作〉
本実施形態による放送受信記録再生装置２の動作について、図５のフローチャートおよび図６の説明図を参照して説明する。
【０１０４】
本実施形態による放送受信記録再生装置２において、放送局から受信した放送番組または蓄積したコンテンツデータを再生する処理は第１実施形態と同様であるため、詳細な説明は省略する。
【０１０５】
ここでは、本実施形態による放送受信記録再生装置２において、番組表を編集する処理および表示させる処理について説明する。
【０１０６】
まず、ユーザによるユーザ制御手段１１の操作により電源が投入され（Ｓ２１）、さらにユーザの所望の視聴チャンネルに切り替えるための視聴チャンネル切替要求が送出されると、チャンネル制御手段１２１を介して第１放送選局手段１４に送出される。
【０１０７】
第１放送選局手段１４では、チャンネル制御手段１２１から取得したチャンネル切替要求に基づいてアンテナ１３で受信された放送電波からチャンネルが選局される。
【０１０８】
第１放送選局手段１４においてユーザの所望の視聴チャンネルが選局されると、第１映像音声信号処理手段１５において、第１放送選局手段１４で選局されたチャンネルの番組の圧縮された放送信号が伸張されることにより、第１再生信号が生成される（Ｓ２２）。
【０１０９】
次に、番組情報解析手段１２５において番組情報が第１映像音声信号処理手段１５から取得され（Ｓ２３）、さらに置換データ指定手段１２２に置換データ視聴情報があるか否かが確認される（Ｓ２４）。
【０１１０】
置換データ指定手段１２２に置換データ指定情報があったときには（Ｓ２４の「YES」）、ユーザの操作によりユーザ制御手段１１から置換データ指定情報を変更するための置換データ指定情報変更要求が番組情報編集手段１２６を介して取得されたか否かが判断される（Ｓ２５）。
【０１１１】
置換データ指定情報変更要求が取得されたときには（Ｓ２５の「YES」）、置換データ指定手段１２２に記憶されている置換データ指定情報が番組情報編集手段１２６により変更され更新される（Ｓ２６）。
【０１１２】
置換データ指定情報が更新されたとき、またはステップＳ２４において置換データ指定情報変更要求が取得されないと判断されたとき（Ｓ２５の「NO」）は、置換データ指定情報が置換データ指定手段１２２から番組情報解析手段１２５に送出される。
【０１１３】
番組情報解析手段１２５では、置換データ指定手段１２２から置換データ指定情報が取得される（Ｓ２７）。
【０１１４】
次に、番組情報解析手段１２５において番組情報に変更があるか否かがチェックされ（Ｓ２８）、番組情報に変更があれば（Ｓ２８の「YES」）ステップＳ２３に戻り再度番組情報が取得される。
【０１１５】
ステップＳ２８において番組情報に変更がないとき（Ｓ２８の「NO」）、またはステップＳ２４において置換データ指定情報がないと判断されたとき（Ｓ２４の「NO」）は、番組情報解析手段１２５において、ステップＳ２３で取得された番組情報と、ステップＳ２７で取得された置換データ指定情報とから、時間枠を用いた番組一覧表情報が編集される（Ｓ２９）。
【０１１６】
番組一覧表情報が編集されると、番組情報解析手段１２５においてユーザ制御手段１１から番組一覧表を表示させるための番組一覧表表示要求が取得されたか否かが監視される（Ｓ３０）。
【０１１７】
番組一覧表示要求が取得されないときは（Ｓ３０の「NO」）、ステップＳ２５に戻り、置換データ指定情報変更要求が取得されたか否かが判断される。
【０１１８】
ステップＳ３０において番組情報解析手段１２５で番組一覧表示要求が取得されたときには（Ｓ３０の「YES」）、ステップＳ２９で編集された番組一覧表情報が番組情報表示処理手段２１に送出されて番組一覧表情報表示信号に変換され、信号切替手段１６に送出される。
【０１１９】
信号切替手段１６では出力手段１７に出力する信号が番組一覧表情報表示信号に切り替えられ、番組一覧情報表示信号が出力手段１７を介して表示装置に送信され、番組一覧が図６（Ａ）〜（Ｃ）に示すように表示される（Ｓ３１）。
【０１２０】
図６（Ａ）は置換データ指定情報がない場合の番組一覧が表示された状態であり、（Ｂ）は置換データ指定情報で番組情報が置き換えられて表示された状態であり、（Ｃ）はステップＳ２３で取得された番組情報に置換データ指定情報が追記されて表示された状態である。
【０１２１】
図６（Ａ）に示すように、置換データ指定情報がない場合は、左部に番組放送時間を示すための時刻が表示され、上部に各チャンネル名「CH1」、「CH2」、「CH3」、および「CH4」が表示された表中に、それぞれのチャンネルで放送される各番組の番組名（番組「あ」〜番組「す」）が放送時間枠に表示されている。
【０１２２】
また、図６（Ｂ）に示すように、置換データ指定情報で番組情報が置き換えられた場合は、例えば置換データ指定情報としてチャンネル「CH1」の番組「い」にデータ蓄積手段１８に記録されているコンテンツ「録画１」が対応付けられ、チャンネル「CH3」の番組「き」にデータ蓄積手段１８に記録されているコンテンツ「録画２」が対応付けられ、チャンネル「CH4」の番組「し」にデータ蓄積手段１８に記録されているコンテンツ「録画３」が対応付けられていると、これらの番組「い」、「き」、「し」の放送時間枠に「録画１」、「録画２」、「録画３」が表示されている。
【０１２３】
また、図（Ｃ）に示すように、番組情報に置換データ指定情報が追記された場合は、（Ｂ）と同様の置換データ指定情報が設定されていると、これらの番組「い」、「き」、「し」の放送時間枠に「録画１」、「録画２」、「録画３」が併記されて表示されている。
【０１２４】
この放送時間枠に「録画１」、「録画２」、「録画３」の情報が表示されるときは、録画された番組のタイトル、ジャンル、録画日時、さらにはサムネイル画像やプレビュー動画など、その録画番組を識別するための情報が表示されてもよい。
【０１２５】
この番組いずれかの番組一覧表が表示されている状態で、ユーザの操作によりいずれかの番組の時間枠が選択されるとユーザ制御手段１１において番組の表示を要求する番組表示要求が生成され、番組情報解析手段１２５に送出される。
【０１２６】
番組情報解析手段１２５では番組表示要求が取得されたか否かが判断され（Ｓ３２）、番組表示要求が取得されたときは選択された時間枠の内容が放送番組であるか、データ蓄積手段１８に記録されたコンテンツであるかが判断される（Ｓ３３）。
【０１２７】
放送番組の時間枠が選択されたときには（Ｓ３３の「YES」）、現在放送中であるかが判断され（Ｓ３４）、放送中であれば（Ｓ３４の「YES」）その放送番組が表示され（Ｓ３５）、電源がOFFにされなければ（Ｓ３６の「NO」）のステップＳ２３に戻る。
【０１２８】
ステップＳ３４において現在放送中でないときは（Ｓ３４の「NO」）、ステップＳ３１に戻り番組一覧表が表示される。
【０１２９】
また、ステップＳ３３においてデータ蓄積手段１８に記録されたコンテンツの時間枠が選択されたときには（Ｓ３３の「NO」）、該当するコンテンツデータがデータ検索手段１２３によりデータ蓄積手段１８から取得され、再生される（Ｓ３７）。
【０１３０】
再生されたコンテンツデータが終了したとき（Ｓ３８の「YES」）は、ステップＳ２３に戻り番組情報が取得される。
【０１３１】
また、ステップＳ３２において番組表示要求が取得されないとき（Ｓ３２の「NO」）は、ユーザ制御手段１１から番組一覧表示の終了要求が取得されたか否かが番組情報解析手段１２５で判断され（Ｓ４０）、番組一覧表示の終了要求が取得されたときには（Ｓ４０の「YES」）番組一覧表の表示が停止され、ステップＳ２３に戻り番組情報が取得される。
【０１３２】
ステップＳ４０において番組一覧表示の終了要求が取得されないときには（Ｓ４０の
「NO」）、ステップＳ３１に戻り、継続して番組一覧表の表示が行われる。
【０１３３】
以上の第２実施形態によれば、第１実施形態と同様の効果を得ることができるとともに、放送番組に対応付けられたコンテンツデータを、番組一覧表により確認することができる。
【０１３４】
《第３実施形態》
本発明の第３実施形態では、ユーザが表示させたくない放送番組を、蓄積されたコンテンツに置換して出力する際に、ユーザの嗜好に応じて置換するコンテンツを選択する放送受信記録再生装置について説明する。
【０１３５】
〈第３実施形態による放送受信記録再生装置３の構成〉
本発明の第３実施形態による放送受信記録再生装置３の構成を、図７を参照して説明する。
【０１３６】
本実施形態における放送受信記録再生装置３は、制御手段１２にユーザ操作履歴管理手段１２７と、ユーザお好み登録手段１２８と、ユーザ嗜好性設定手段１２９とを有する他は第１実施形態と同様であるため、詳細な説明は省略する。
【０１３７】
ユーザ操作履歴管理手段１２７は、過去の放送番組の視聴履歴、録画履歴、および録画されたコンテンツの再生履歴の情報を記憶する。
【０１３８】
ユーザお好み登録手段１２８は、ユーザにより入力される好みのジャンルや特定番組の情報を記憶することにより登録する。
【０１３９】
ユーザ嗜好性設定手段１２９は、ユーザ操作履歴管理手段１２７に記憶された情報およびユーザお好み登録手段１２８により登録された情報から、コンテンツデータに置換する放送番組を選択し、さらに選択された放送番組と置換するコンテンツをデータ蓄積手段１８内から選択し、置換データ指定情報として置換データ指定手段１２２に記憶させるために送出する。
【０１４０】
また、本実施形態においてデータ蓄積手段１８に記憶されているコンテンツデータには、各コンテンツデータに関する情報、例えば番組タイトル、番組ジャンル、出演者情報、言語情報、再生残り時間、録画日時などが付加されている。
【０１４１】
〈第３実施形態による放送受信記録再生装置３の動作〉
本実施形態による放送受信記録再生装置３の動作について、図８のフローチャートを参照して説明する。
【０１４２】
本実施形態による放送受信記録再生装置３において、放送局から受信した放送番組または蓄積したコンテンツデータを再生する処理は第１実施形態と同様であるため、詳細な説明は省略する。
【０１４３】
ここでは、置換データ指定情報の記録処理について説明する。
【０１４４】
本実施形態においてユーザ操作履歴管理手段１２７には、予め過去の放送番組の視聴履歴、録画履歴、および録画されたコンテンツの再生履歴の情報が取得され記憶されている。
【０１４５】
また、ユーザお好み登録手段１２８には、予めユーザにより入力されたユーザの好みのジャンルや特定番組などのユーザお好み情報が記憶されることにより登録されている。
【０１４６】
これらの情報が記憶された状態で置換データ指定情報の記録処理が開始すると、まず受信された放送信号から番組情報解析手段１２５において所定期間の各チャンネルの番組情報が取得される（Ｓ４１）。
【０１４７】
ここで取得される番組情報には、例えば番組タイトル、番組ジャンル、出演者情報、言語情報などが含まれる。
【０１４８】
次に、ユーザ嗜好性設定手段１２９において、ユーザ操作履歴管理手段１２７からユーザの操作による放送番組の視聴履歴の情報が取得される（Ｓ４２）。
【０１４９】
次に、ユーザ嗜好性設定手段１２９において、ユーザ操作履歴管理手段１２７からユーザの操作による録画履歴の情報が取得される（Ｓ４３）。
【０１５０】
次に、ユーザ嗜好性設定手段１２９において、ユーザ操作履歴管理手段１２７からユーザの操作による録画されたコンテンツの再生履歴の情報が取得される（Ｓ４４）。
【０１５１】
次に、ユーザ嗜好性設定手段１２９において、ユーザお好み登録手段１２８からユーザお好み情報が取得される（Ｓ４５）。
【０１５２】
次に、ユーザ嗜好性設定手段１２９においてステップＳ４２〜Ｓ４５において取得された情報を基に、番組のジャンル、番組タイトルなどによりユーザの嗜好に基づく優先度を判断するための嗜好優先度情報が生成され、置換データ指定手段１２２に送出される（Ｓ４６）。
【０１５３】
次に、置換データ指定手段１２２において、ステップＳ４１で取得された所定期間の各チャンネルの番組情報の中から、ユーザの嗜好優先度が低く蓄積されているコンテンツデータで置換される対象になる放送番組があるか否かが、ステップ４６で設定された嗜好優先度情報に基づいて判断される（Ｓ４７）。
【０１５４】
蓄積されているコンテンツデータで置換される対象になる放送番組があるときには（Ｓ４７の「YES」）この放送番組が選択され、さらにデータ蓄積手段１８の中にユーザの嗜好優先度が高く置換による再生の対象となるコンテンツがあるか否かが、置換データ指定手段１２２からデータ検索手段１２３を介して問い合わせられる（Ｓ４８）。
【０１５５】
置換による再生の対象となるコンテンツがあるか否かの問い合わせは、ステップＳ４６で設定された嗜好優先度情報に基づいて、各コンテンツに関する番組タイトル、番組ジャンル、出演者情報、言語情報、再生残り時間、録画日時などを用いて行われる。
【０１５６】
データ蓄積手段１８の中に置換による再生の対象となるコンテンツがあると判断されたときには（Ｓ４８の「YES」）このコンテンツが選択され、置換データ指定手段１２２において、置換される対象として選択された番組情報内の放送番組の嗜好優先度と置換による再生の対象として選択されたデータ蓄積手段１８内のコンテンツの嗜好優先度とが比較される（Ｓ４９）。
【０１５７】
比較された結果、選択されたコンテンツが、選択された放送番組と置換される対象として適切であるか否かが判断される（Ｓ５０）。
【０１５８】
選択されたコンテンツが置換される対象として適切であると判断されたときは（Ｓ５０の「YES」）、選択されたコンテンツが、選択された放送番組と対応付けられて置換データ指定情報が生成され、置換データ指定手段１２２に登録される（Ｓ５１）。
【０１５９】
上述した処理において、ステップＳ４７において置換される対象になる放送番組がないと判断されたとき（Ｓ４７の「NO」）、ステップＳ４８において置換による再生の対象となるコンテンツがないと判断されたとき（Ｓ４８の「NO」）、またはステップＳ５０において選択されたコンテンツが置換される対象として適切ではないと判断されたとき（Ｓ５０の「NO」）は、ステップＳ４１に戻り再度番組情報が取得される。
【０１６０】
番組情報内のすべての置換対象となる放送番組について処理が行われたときは（Ｓ５２の「YES」）処理が終了され、まだ置換対象となる放送番組が番組情報内にあるときは（Ｓ５２の「NO」）、ステップＳ４８に戻り置換による再生の対象となるコンテンツがあるか否かが再度判断される。
【０１６１】
本実施形態において、ステップＳ４２で取得される放送番組の視聴履歴の情報はユーザが意図的にチャンネルを選局したことにより一定時間視聴された番組の履歴を蓄積したものである。
【０１６２】
装置によっては、録画などのために予め設定された情報に基づいて機器が自動的にチャンネルを選局するなどの場合があるものも考えられるが、これらはユーザが意図的にチャンネルを選局したときよりも低い重み付けをすることにより視聴履歴の情報を管理するようにしてもよい。
【０１６３】
また、本実施形態において、ステップＳ４３で取得される録画履歴の情報もユーザが意図的に録画操作をすることにより取得された情報である。
【０１６４】
装置によっては、予め設定されたユーザの嗜好情報に基づいて機器が自動的に録画対象番組を選択して録画を行う機能があるものがあり、この場合もまたユーザが意図的に録画操作をしたときよりも低い重み付けをすることにより録画履歴の情報を管理するようにしてもよい。
【０１６５】
また、本実施形態において、ステップＳ４４で取得されるコンテンツ再生履歴の情報もユーザが意図的に再生操作をすることにより取得された情報である。
【０１６６】
ここで、再生状況に応じて、最初の方だけ再生したとき、スキップ機能などを使って再生したとき、または機器の独自の機能により自動的に再生したときなどには、通常の再生操作を行ったときよりも低い重み付けをすることにより再生履歴の情報を管理するようにしてもよい。
【０１６７】
また、本実施形態においては、置換データ指定情報を作成するための情報として、ユーザ操作履歴管理手段から取得する情報は放送番組の視聴履歴、録画履歴、およびコンテンツ再生履歴である場合について説明したが、これには限定されず、コンテンツ削除履歴などを利用するようにしてもよい。
【０１６８】
コンテンツ削除履歴を置換データ指定情報を作成するための情報として利用することいより、録画して視聴した後（リアルタイムで放送番組を視聴した場合を含む）削除したコンテンツは優先度を高くし、録画したのみで視聴しないまま削除したコンテンツは優先度を低くするなどの設定することが可能である。
【０１６９】
以上の第３実施形態によれば、ユーザが予め置換対象の放送番組とコンテンツとを対応付ける設定を行わなくても、ユーザの嗜好の優先度が低い放送番組を蓄積されたコンテンツデータで自動的に置換して再生するため、蓄積されたコンテンツデータを効率的に再生することができる。
【０１７０】
また、容易な操作で、番組一覧表から所望の放送番組または蓄積されたコンテンツデータを再生させることができる。
【図面の簡単な説明】
【０１７１】
【図１】本発明の第１実施形態による放送受信記録再生装置の構成を示すブロック図である。
【図２】本発明の第１実施形態による放送受信記録再生装置の動作を示すフローチャートである。
【図３】本発明の第１実施形態による放送受信記録再生装置において受信する放送データと出力する出力データを示す説明図である。
【図４】本発明の第２実施形態による放送受信記録再生装置の構成を示すブロック図である。
【図５】本発明の第２実施形態による放送受信記録再生装置の動作を示すフローチャートである。
【図６】本発明の第２実施形態による放送受信記録再生装置において表示される番組一覧情報を示す説明図である。
【図７】本発明の第３実施形態による放送受信記録再生装置の構成を示すブロック図である。
【図８】本発明の第３実施形態による放送受信記録再生装置の動作を示すフローチャートである。
【符号の説明】
【０１７２】
１…放送受信記録再生装置
２…放送受信記録再生装置
３…放送受信記録再生装置
１１…ユーザ制御手段
１２…制御手段
１３…アンテナ
１４…第１放送選局手段
１５…第１映像音声信号処理手段
１６…信号切替手段
１７…出力手段
１８…データ蓄積手段
１９…第２映像音声信号処理手段
２０…表示手段
２１…番組情報表示処理手段
１２１…チャンネル制御手段
１２２…置換データ指定手段
１２３…データ検索手段
１２４…再生位置管理手段
１２５…番組情報解析手段
１２６…番組情報編集手段
１２７…ユーザ操作履歴管理手段
１２８…ユーザお好み登録手段
１２９…ユーザ嗜好性設定手段
【図１】
2008098772.tif 000003
【図２】
2008098772.tif 000004
【図３】
2008098772.tif 000005
【図４】
2008098772.tif 000006
【図５】
2008098772.tif 000007
【図６】
2008098772.tif 000008
【図７】
2008098772.tif 000009
【図８】
2008098772.tif 000010